(57)【要約】【課題】  記録可能な光ディスク媒体を使用する光ディスク装置において、ＯＰＣを実行して最適な記録パワーを決定し、安定した記録品質を確保する。【解決手段】  ＯＰＣを実行するにあたり、粗い刻み幅で記録パワーを変化させて所定領域へ記録するステップ（Ｓ５０２）と、ステップＳ５０２で記録された領域のデータから振幅情報を抽出するステップ（Ｓ５０３）と、振幅情報が小さなデータを再取得するための低記録パワー範囲を決定するステップ（Ｓ５０４）と、細かな刻み幅で低記録パワーを変化させて所定領域へ記録するステップ（Ｓ５０５）と、ステップＳ５０５で記録された領域のデータから振幅情報を抽出するステップ（Ｓ５０６）と、得られた振幅情報を合わせて記録パワーと振幅情報の関係を導くステップ（Ｓ５０７）とその関係を用いて最適パワーを決定するステップ（Ｓ５０８）とを実行することで、光ディスク媒体の記録品質を安定化させた。【選択図】  図５
2009043297.tif 000002
【特許請求の範囲】
【請求項１】
記録可能な光ディスク媒体における所定の領域にテスト記録を行う光ディスク装置であって、
粗い刻み幅で記録パワーを変化させて前記所定の領域にテスト記録を行う粗記録部と、
該粗記録部により前記所定の領域に記録したデータを再生して振幅情報を検出する粗振幅情報検出部と、
前記粗記録部の刻み幅よりも細かな刻み幅で記録パワーを変化させて前記所定の領域にテスト記録を行う記録パワーの範囲を決定する密記録パワー範囲決定部と、
該密記録パワー範囲決定部により決められた記録パワーの範囲を細かな刻み幅で記録パワーを変化させて前記所定の記録領域にテスト記録を行う密記録部と、
該密記録部により前記所定の領域に記録したデータを再生して振幅情報を検出する密振幅情報検出部と、
前記粗振幅情報検出部により検出した振幅情報と前記密振幅情報検出部により検出した振幅情報とに基づいて、記録パワーと振幅情報との関係を抽出する相関情報抽出部と、
該相関情報抽出部により抽出した記録パワーと振幅情報との関係から最適記録パワーを決定する最適記録パワー決定部と、
を備えたことを特徴とする光ディスク装置。
【請求項２】
請求項１に記載の光ディスク装置において、
前記粗記録部は、前記テスト記録を２回以上行うものであり、
前記粗振幅情報検出部は、前記粗記録部により前記所定の領域に記録した２つ以上のデータを各々再生して該再生されたデータを平均化した振幅情報を検出するものであり、
前記密記録部は、前記テスト記録を２回以上行うものであり、
前記密振幅情報検出部は、前記密記録部により前記所定の領域に記録した２つ以上のデータを各々再生して該再生されたデータを平均化した振幅情報を検出するものである、
ことを特徴とする光ディスク装置。
【請求項３】
請求項１に記載の光ディスク装置において、
前記粗振幅情報検出部は、前記粗記録部により前記所定の領域に記録した１つのデータを２回以上再生して、該再生されたデータを平均化した振幅情報を検出するものであり、
前記密振幅情報検出部は、前記密記録部により前記所定の領域に記録した１つのデータを２回以上再生して、該再生されたデータを平均化した振幅情報を検出するものである、
ことを特徴とする光ディスク装置。
【請求項４】
請求項１に記載の光ディスク装置において、
前記粗記録部は、前記テスト記録を２回以上行うものであり、
前記粗振幅情報検出部は、前記粗記録部により前記所定の領域に記録した２つ以上のデータを各々２回以上再生して該再生されたデータを平均化した振幅情報を検出するものであり、
前記密記録部は、前記テスト記録を２回以上行うものであり、
前記密振幅情報検出部は、前記密記録部により前記所定の領域に記録した２つ以上のデータを各々２回以上再生して該再生されたデータを平均化した振幅情報を検出するものである、
ことを特徴とする光ディスク装置。
【請求項５】
請求項１ないし請求項４のいずれかに記載の光ディスク装置において、
前記粗記録部の記録パワー範囲の上限は、所定の値に設定される、
ことを特徴とする光ディスク装置。
【請求項６】
請求項１ないし請求項４のいずれかに記載の光ディスク装置において、
前記粗記録部の記録パワー範囲の下限は、所定の値に設定される、
ことを特徴とする光ディスク装置。
【請求項７】
請求項１ないし請求項４のいずれかに記載の光ディスク装置において、
前記粗記録部の記録パワー範囲の上限および下限は、所定の値に設定される、
ことを特徴とする光ディスク装置。
【請求項８】
請求項１ないし請求項４のいずれかに記載の光ディスク装置において、
前記粗振幅情報検出部により検出された振幅情報の最大値が所定の値より小さい場合に、より大きな振幅情報が検出できるように粗い刻み幅で記録する記録パワーの範囲を変更し再度粗い刻み幅で記録パワーを変化させて前記所定の領域にテスト記録を行う、
ことを特徴とする光ディスク装置。
【請求項９】
請求項１ないし請求項４のいずれかに記載の光ディスク装置において、
前記粗振幅情報検出部により検出した振幅情報の最小値が所定の値より大きい場合、より小さな振幅情報が検出できるように粗い刻み幅で記録する記録パワーの範囲を変更し再度粗い刻み幅で記録パワーを変化させて前記所定の領域にテスト記録を行う、
ことを特徴とする光ディスク装置。
【請求項１０】
請求項１ないし請求項４のいずれかに記載の光ディスク装置において、
前記粗振幅情報検出部により検出した振幅情報の最大値と最小値を求め、最大値が所定の値より小さい場合もしくは最小値が所定の値より大きい場合、振幅情報が所定の値を満たすよう粗い刻み幅で記録する記録パワーの範囲を変更し再度粗い刻み幅で記録パワーを変化させて前記所定の領域にテスト記録を行う、
ことを特徴とする光ディスク装置。
【請求項１１】
請求項１ないし請求項４のいずれかに記載の光ディスク装置において、
前記密記録パワー範囲部により決定する記録パワーの範囲として、前記粗振幅情報検出部で検出した振幅情報と所定の値とを比較し、該所定の値に最も近い振幅情報に対応した記録パワー近傍の記録パワーを設定する、
ことを特徴とする光ディスク装置。
【請求項１２】
請求項１ないし請求項４のいずれかに記載の光ディスク装置において、
前記密記録パワー範囲部により決定する記録パワーの範囲として、前記粗振幅情報検出部により検出した振幅情報を補間した情報と所定の値とを比較し補間した情報に対応する記録パワーを演算で求め、該演算で求めた記録パワー近傍の記録パワーを設定する、
ことを特徴とする光ディスク装置。
【請求項１３】
請求項１ないし請求項４のいずれかに記載の光ディスク装置において、
前記相関情報抽出部が抽出する記録パワーと振幅情報との関係は、最小２乗法によって近似する回帰直線により示される関係である、
ことを特徴とする光ディスク装置。
【発明の詳細な説明】
【技術分野】
【０００１】
本発明は、光ディスク装置に関するものであり、特に記録媒体に対して記録を実行する際に記録パワーを最適化する技術の改良に関するものである。
【背景技術】
【０００２】
光ディスクとは、レーザ光を用いてデータを再生，記録する記録媒体のことであり、光ディスクを記録，再生する装置は光ディスク装置と呼ばれている。
【０００３】
代表的な光ディスクとしては、ＣＤ（Ｃｏｍｐａｃｔ  Ｄｉｓｃ），ＤＶＤ（Ｄｉｇｉｔａｌ  Ｖｅｒｓａｔｉｌｅ  Ｄｉｓｃ）があり、様々な目的に応じたデジタルデータが保存されている。また、近年では、ＣＤ，ＤＶＤと比較して大きな記憶容量を有するＢＤ（Ｂｌｕ−ｒａｙ  Ｄｉｓｃ）などが登場し、次第に普及しつつある。
【０００４】
これら光ディスクは、さらに２つの種類に分類することができる。１つは、ＣＤ−ＲＯＭ，ＤＶＤ−ＲＯＭ，ＢＤ−ＲＯＭなどの再生専用ディスクである。他方はこれに対して、ＣＤ−Ｒ，ＣＤ−ＲＷ，ＤＶＤ−Ｒ，ＤＶＤ−ＲＷ，ＤＶＤ＋Ｒ，ＤＶＤ＋ＲＷ，ＤＶＤ−ＲＡＭ，ＢＤ−Ｒ，ＢＤ−ＲＥなどの記録可能なディスクである。
【０００５】
記録可能なディスクは、ディスク内にＰＣＡ（Ｐｏｗｅｒ  Ｃａｌｉｂｒａｔｉｏｎ  Ａｒｅａ）と呼ばれる所定の領域を有しており、記録時にレーザ光の校正を行うことが可能である。光ディスク装置にとって、記録時にレーザ光の校正、いわゆる記録パワーの最適化調整（ＯＰＣ：Ｏｐｔｉｍｕｍ  Ｐｏｗｅｒ  Ｃｏｎｔｒｏｌ）が必要であり、記録パワーの最適化がなされていない場合、記録可能なディスクに対するデータの記録品質が悪化する。記録品質が悪化した光ディスクは、エラーが増大し再生不可能となる可能性を有している。このため、レーザ光の振幅情報を用いて記録パワーの最適化を実施している。
【０００６】
振幅情報を用いて記録パワーの調整を行う代表的な手法として、所定のパラメータκ、ρ、Ｐｉｎｄを用いた記録パワー調整手法がある。ここで、パラメータκ、ρ、Ｐｉｎｄは、ディスク毎の特性を調整する値であり、ディスク製造者、光ディスク装置のメーカーによって決定される。
【０００７】
始めに、光ディスク内に所定のＰＣＡ領域を確保し、その領域を数分割した後、分割された領域毎に決められた記録パワーで記録する。ここで、記録パワーは所定のパラメータＰｉｎｄを中心として記録パワーを段階的に数段、階調変化させるのが一般的である。続いて、段階的に記録パワーを変化して記録された領域を再生してその振幅情報を抽出し、段階的に変化させた記録パワーと抽出した振幅情報とを関連付ける。さらにＰｉｎｄより小さな記録パワーＰｆｉｔ１と、Ｐｉｎｄより大きな記録パワーＰｆｉｔ２とを定め、Ｐｆｉｔ１を中心とした周辺の記録パワーＰｗと関連付けられた振幅情報ｍから、
記録パワーＰｗ  ×  振幅情報ｍ＝α１・（Ｐ−β１）  ・・・（１）
で直線近似を行い、この近似直線を特徴付ける係数α１およびβ１を求める。同様にＰｆｉｔ２を中心とした周辺の記録パワーＰｗと関連付けられた振幅情報ｍから、
記録パワーＰｗ  ×  振幅情報ｍ＝α２・（Ｐ−β２）  ・・・（２）
で直線近似を行い、この近似直線を特徴付ける係数α２およびβ２を求める。
【０００８】
このようにして求めた係数β１、および係数β２にディスク毎の特性を調整する所定のパラメータκを乗じた値を各々Ｐｔｈ１（＝κ×β１），Ｐｔｈ２（＝κ×β２）として、
Ｐｔａｒｇｅｔ＝（Ｐｔｈ２×Ｐｆｉｔ１−Ｐｔｈ１×Ｐｆｉｔ２）／（Ｐｔｈ２−Ｐｔｈ１−Ｐｆｉｔ２＋Ｐｆｉｔ１）  ・・・（３）
を求める。
【０００９】
この演算により求めたＰｔａｒｇｅｔに、個々の光ディスクごとの特性を調整する所定のパラメータρを乗じたパワーを最適記録パワーＰｗｏ（＝ρ×Ｐｔａｒｇｅｔ）として、記録パワーの最適化を図っている（例えば、特許文献１参照）。
【特許文献１】特開２００４−２５３０１６号公報（第１８−１９頁、第５図）
【発明の開示】
【発明が解決しようとする課題】
【００１０】
しかしながら、上述のような方法で最適記録パワーＰｗｏを抽出しようとすると、ディスクの回転変動、面振れ成分、面内の記録感度ばらつき、およびレーザの焦点状態等さまざまな要因で検出する振幅情報ｍがばらついてしまい、このばらつきに起因して、ばらついた振幅情報ｍから決定する最適記録パワーＰｗｏもやはりばらついてしまう。特に、記録パワーＰｗが低い状態で検出する振幅情報ｍは、記録パワーＰｗに対して大きく振幅情報が変わることが多く、振幅情報ｍの感度が高いため、ばらつきが顕著となる。
【００１１】
例えば、光ディスクがＢＤ−ＲＥの場合、記録パワーが小さい側では振幅情報が大きく変化し、記録パワーがある程度の大きさになると振幅情報の変化は少なくなる非線形特性となる。
【００１２】
上記の状態を図２、図３、図４を用いて説明する。図２（ａ）は記録パワーＰｗとこの記録パワーＰｗに対応する振幅情報ｍとを示す代表的なデータであり、図２（ｂ）は図２（ａ）における記録パワーＰｗと振幅情報ｍとの関係を示す図である。同様に、図３（ａ）および図４（ａ）は、記録パワーＰｗとこの記録パワーＰｗに対応する振幅情報ｍを示す代表的なデータであり、図３（ｂ）および図４（ｂ）は、それぞれ図３（ａ）、図４（ａ）における記録パワーＰｗと振幅情報ｍとの関係を示す図である。
【００１３】
図３（ａ）および図４（ａ）における記録パワーＰｗの範囲は、図２（ａ）と等しいが、振幅情報ｍがディスクの回転変動、面振れ成分、面内の記録感度ばらつき、およびレーザの焦点状態等の影響を受けて±５％程度のばらつきを有していることが分かる。
【００１４】
ここで、一例としてディスクの特性を調整する所定パラメータκ、ρがκ＝１．４、ρ＝１．２で定義されており、ＰＣＡ領域を１６分割し、分割された領域に対してそれぞれ段階的に記録パワーを変化させて記録パワーの最適値Ｐｗｏを決定する動作について説明する。
【００１５】
図２（ａ）において、記録パワーを１６階調で均等に変化させた場合の各階調毎の記録パワーＰｗ（ｎ）、振幅情報ｍ（ｎ）は、
Ｐｗ（１）＝６．５、ｍ（１）＝４６．５４
Ｐｗ（２）＝６．３、ｍ（２）＝４６．０５
Ｐｗ（３）＝６．１、ｍ（３）＝４５．３９
Ｐｗ（４）＝５．９、ｍ（４）＝４４．５６
Ｐｗ（５）＝５．７、ｍ（５）＝４３．５２
Ｐｗ（６）＝５．５、ｍ（６）＝４２．２３
Ｐｗ（７）＝５．３、ｍ（７）＝４０．６７
Ｐｗ（８）＝５．１、ｍ（８）＝３８．７８
Ｐｗ（９）＝４．９、ｍ（９）＝３６．５２
Ｐｗ（１０）＝４．７、ｍ（１０）＝３３．８０
Ｐｗ（１１）＝４．５、ｍ（１１）＝３０．５６
Ｐｗ（１２）＝４．３、ｍ（１２）＝２６．６８
Ｐｗ（１３）＝４．１、ｍ（１３）＝２２．０３
Ｐｗ（１４）＝３．９、ｍ（１４）＝１６．４６
Ｐｗ（１５）＝３．７、ｍ（１５）＝９．７５
Ｐｗ（１６）＝３．５、ｍ（１６）＝１．６３
となる。ここで、ｎは分割されたＰＣＡ領域を示す１〜１６までの整数である。
【００１６】
さらに、所定パラメータＰｉｎｄは図２（ａ）のほぼ中心になるように調整されるのが一般的であるため、Ｐｉｎｄ＝Ｐｗ（８）＝５．１とする。また、所定パラメータＰｆｉｔ１＝Ｐｗ（１０）＝３３．８０、所定パラメータＰｆｉｔ２＝Ｐｗ（６）＝４２．２３と決定する。所定パラメータＰｆｉｔ１を中心として、７点の記録パワー（Ｐｗ（７）〜Ｐｗ（１３））を用いて直線フィッティングを行い近似直線を求めると、α１≒１０４．１５、β１＝３．１９となる。
【００１７】
同様に、所定パラメータＰｆｉｔ２を中心として、７点の記録パワー（Ｐｗ（３）〜Ｐｗ（９））を用いて直線フィッティングを行い近似直線を求めると、α２＝８１．５４、β２＝２．６８となる。κ＝１．４であるため、Ｐｔｈ１≒１．４×３．１９≒４．４７、Ｐｔｈ２≒１．４×２．６８≒３．７５である。したがって、Ｐｔａｒｇｅｔ≒（３．７５×４．７−４．４７×５．５）／（３．７５−４．４７−５．５＋４．７）≒４．５８となり、ρ＝１．２を乗ずることで、図２（ａ）に対する最適記録パワーＰｗｏはＰｗｏ≒１．２×４．５８≒５．５０となる。
【００１８】
図３（ａ）、図４（ａ）についても、図２（ａ）と同様にして最適記録パワーを求めると、図３（ａ）における最適記録パワーＰｗｏはＰｗｏ≒５．３８、図４（ａ）における最適記録パワーＰｗｏはＰｗｏ≒５．２６となる。
【００１９】
図２（ａ）、図３（ａ）および図４（ａ）から、それぞれの最適記録パワーを平均した記録パワーＰｗｏ（ａｖｅ）および標準偏差σ（ａｖｅ）を計算すると、平均最適記録パワーＰｗｏ（ａｖｅ）≒５．３８、３σ（ａｖｅ）≒０．３６となる。図２（ａ）に対して、図３（ａ）および図４（ａ）は振幅情報ｍのばらつきを加えたデータであり、理想的な状態であれば同じ最適記録パワーに収束することが望ましい。しかし、標準偏差３σ（ａｖｅ）は、平均最適記録パワーＰｗｏ（ａｖｅ）に対して±７％と大きなばらつきを有している。
【００２０】
上記の例が示すように、従来の光ディスク装置における最適記録パワーの算出手法では、特に記録パワーが大きく記録パワーの増加に対し振幅情報ｍの増加が飽和する領域において、振幅情報ｍのばらつきが生じると、これが最適記録パワーのばらつきにつながり、最適記録パワーを安定化することが困難であり、高密度記録を行う光ディスクの記録パワーの最適化を行えないという課題を有していた。
【００２１】
また、この従来の最適記録パワーの算出手法では、Ｐｆｉｔ１，Ｐｆｉｔ２の選択状態に依存して、最適記録パワーＰｗｏの収束値が変動していた。この収束値が変動する様子を図２を用いて説明する。
【００２２】
図２（ａ）の例では、記録パワーＰｗ（ｎ）および振幅情報ｍ（ｎ）を用い、Ｐｆｉｔ１＝Ｐｗ（１０）とその周囲の７点の記録パワーＰｗ（７）〜Ｐｗ（１２）、およびＰｆｉｔ２＝Ｐｗ（６）とその周囲の７点の記録パワーＰｗ（３）〜Ｐｗ（９）から最適記録パワーＰｗｏ１を決定しており、この場合の最適記録パワーＰｗｏ１はＰｗｏ１≒５．５０であった。
【００２３】
ここで、Ｐｆｉｔ１のみを変更し、Ｐｆｉｔ１＝Ｐｗ（１２）＝４．３、Ｐｆｉｔ２＝Ｐｗ（６）＝５．５とした場合の動作を説明する。Ｐｆｉｔ１，Ｐｆｉｔ２それぞれの近傍７点の記録パワーＰｗ（９）〜Ｐｗ（１５）およびＰｗ（３）〜Ｐｗ（９）から直線フィッティングを行って近似直線を求めることにより、最終的に最適記録パワーＰｗｏ２を求める。
【００２４】
このようにＰｆｉｔ１，Ｐｆｉｔ２の選択状態を変えても図２（ａ）のデータ自体は変更がないため、本来であればＰｆｉｔ１＝Ｐｗ（１０）とした場合の最適記録パワーＰｗｏ１と、Ｐｆｉｔ１＝Ｐｗ（１２）とした場合の最適記録パワーＰｗｏ２とは等しくなることが望ましい。
【００２５】
しかし、実際にはＰｆｉｔ１＝Ｐｗ（１２）とした場合、最適記録パワーＰｗｏ２＝５．４３となり、Ｐｆｉｔ１＝Ｐｗ（１０）の場合の最適記録パワーＰｗｏ１＝５．５０と値が異なる。なお、上記説明はＰｆｉｔ１のみを変更した場合の説明であったが、Ｐｆｉｔ２を変えても同様に最適記録パワーが異なる値となる。
【００２６】
このように、従来の手法では、Ｐｆｉｔ１、あるいはＰｆｉｔ２の選択状態によっても最適記録パワーＰｗｏの値がばらつき、この点からも記録パワーを最適化することが困難であるという課題を有していた。
【００２７】
本発明は、前記課題に鑑みてなされたものであり、光ディスク媒体への記録パワーを粗い刻みで変化させて振幅情報を取得した後、記録パワーが小さい領域で記録パワーを細かい刻みで変化させて振幅情報を取得することで、ＰＣＡ領域に記載されたデータの振幅情報から抽出する最適記録パワーのばらつきを低減させることにより、安定した記録を実行することができる光ディスク装置を提供することを目的とする。
【課題を解決するための手段】
【００２８】
上記課題を解決するために、本発明は、小さな振幅情報から大きな振幅情報までを記録パワーを均一に変化させてこれらに対応する振幅情報を測定することにより、記録パワーと振幅情報との関係を抽出するとともに、記録パワーが低い状態で検出する振幅情報は、記録パワーに対して大きく振幅情報が変わることが多く、振幅情報の感度が高くばらつきが顕著となるため、記録パワーが低い領域では記録パワーが高い領域と比べて多くの振幅情報を取得し、これら大きな刻みで記録パワーを変化させて得られた振幅情報と小さな刻みで記録パワーを変化させて得られた振幅情報とを結合し、その結合して得られた振幅情報に対して直線近似を行い、振幅情報が零となる記録パワーを特定し、所定のパラメータを乗ずることで最適記録パワーを決定するようにしたものである。
【００２９】
即ち、本発明の請求項１に係る光ディスク装置は、記録可能な光ディスク媒体における所定の領域にテスト記録を行う光ディスク装置であって、粗い刻み幅で記録パワーを変化させて前記所定の領域にテスト記録を行う粗記録部と、該粗記録部により前記所定の領域に記録したデータを再生して振幅情報を検出する粗振幅情報検出部と、前記粗記録部の刻み幅よりも細かな刻み幅で記録パワーを変化させて前記所定の領域にテスト記録を行う記録パワーの範囲を決定する密記録パワー範囲決定部と、該密記録パワー範囲決定部により決められた記録パワーの範囲を細かな刻み幅で記録パワーを変化させて前記所定の記録領域にテスト記録を行う密記録部と、該密記録部により前記所定の領域に記録したデータを再生して振幅情報を検出する密振幅情報検出部と、前記粗振幅情報検出部により検出した振幅情報と前記密振幅情報検出部により検出した振幅情報とに基づいて、記録パワーと振幅情報との関係を抽出する相関情報抽出部と、該相関情報抽出部により抽出した記録パワーと振幅情報との関係から最適記録パワーを決定する最適記録パワー決定部と、を備えたことを特徴とするものである。
【００３０】
また、本発明の請求項２に係る光ディスク装置は、請求項１に記載の光ディスク装置において、前記粗記録部は、前記テスト記録を２回以上行うものであり、前記粗振幅情報検出部は、前記粗記録部により前記所定の領域に記録した２つ以上のデータを各々再生して該再生されたデータを平均化した振幅情報を検出するものであり、前記密記録部は、前記テスト記録を２回以上行うものであり、前記密振幅情報検出部は、前記密記録部により前記所定の領域に記録した２つ以上のデータを各々再生して該再生されたデータを平均化した振幅情報を検出するものであることを特徴とするものである。
【００３１】
また、本発明の請求項３に係る光ディスク装置は、請求項１に記載の光ディスク装置において、前記粗振幅情報検出部は、前記粗記録部により前記所定の領域に記録した１つのデータを２回以上再生して、該再生されたデータを平均化した振幅情報を検出するものであり、前記密振幅情報検出部は、前記密記録部により前記所定の領域に記録した１つのデータを２回以上再生して、該再生されたデータを平均化した振幅情報を検出するものであることを特徴とするものである。
【００３２】
また、本発明の請求項４に係る光ディスク装置は、請求項１に記載の光ディスク装置において、前記粗記録部は、前記テスト記録を２回以上行うものであり、前記粗振幅情報検出部は、前記粗記録部により前記所定の領域に記録した２つ以上のデータを各々２回以上再生して該再生されたデータを平均化した振幅情報を検出するものであり、前記密記録部は、前記テスト記録を２回以上行うものであり、前記密振幅情報検出部は、前記密記録部により前記所定の領域に記録した２つ以上のデータを各々２回以上再生して該再生されたデータを平均化した振幅情報を検出するものであることを特徴とするものである。
【００３３】
また、本発明の請求項５に係る光ディスク装置は、請求項１ないし請求項４のいずれかに記載の光ディスク装置において、前記粗記録部の記録パワー範囲の上限は、所定の値に設定される、ことを特徴とするものである。
【００３４】
また、本発明の請求項６に係る光ディスク装置は、請求項１ないし請求項４のいずれかに記載の光ディスク装置において、前記粗記録部の記録パワー範囲の下限は、所定の値に設定される、ことを特徴とするものである。
【００３５】
また、本発明の請求項７に係る光ディスク装置は、請求項１ないし請求項４のいずれかに記載の光ディスク装置において、前記粗記録部の記録パワー範囲の上限および下限は、所定の値に設定される、ことを特徴とするものである。
【００３６】
また、本発明の請求項８に係る光ディスク装置は、請求項１ないし請求項４のいずれかに記載の光ディスク装置において、前記粗振幅情報検出部により検出された振幅情報の最大値が所定の値より小さい場合に、より大きな振幅情報が検出できるように粗い刻み幅で記録する記録パワーの範囲を変更し再度粗い刻み幅で記録パワーを変化させて前記所定の領域にテスト記録を行う、ことを特徴とするものである。
【００３７】
また、本発明の請求項９に係る光ディスク装置は、請求項１ないし請求項４のいずれかに記載の光ディスク装置において、前記粗振幅情報検出部により検出した振幅情報の最小値が所定の値より大きい場合、より小さな振幅情報が検出できるように粗い刻み幅で記録する記録パワーの範囲を変更し再度粗い刻み幅で記録パワーを変化させて前記所定の領域にテスト記録を行う、ことを特徴とするものである。
【００３８】
また、本発明の請求項１０に係る光ディスク装置は、請求項１ないし請求項４のいずれかに記載の光ディスク装置において、前記粗振幅情報検出部により検出した振幅情報の最大値と最小値を求め、最大値が所定の値より小さい場合もしくは最小値が所定の値より大きい場合、振幅情報が所定の値を満たすよう粗い刻み幅で記録する記録パワーの範囲を変更し再度粗い刻み幅で記録パワーを変化させて前記所定の領域にテスト記録を行う、ことを特徴とするものである。
【００３９】
また、本発明の請求項１１に係る光ディスク装置は、請求項１ないし請求項４のいずれかに記載の光ディスク装置において、前記密記録パワー範囲部により決定する記録パワーの範囲として、前記粗振幅情報検出部で検出した振幅情報と所定の値とを比較し、該所定の値に最も近い振幅情報に対応した記録パワー近傍の記録パワーを設定する、ことを特徴とするものである。
【００４０】
また、本発明の請求項１２に係る光ディスク装置は、請求項１ないし請求項４のいずれかに記載の光ディスク装置において、前記密記録パワー範囲部により決定する記録パワーの範囲として、前記粗振幅情報検出部により検出した振幅情報を補間した情報と所定の値とを比較し補間した情報に対応する記録パワーを演算で求め、該演算で求めた記録パワー近傍の記録パワーを設定する、ことを特徴とするものである。
【００４１】
また、本発明の請求項１３に係る光ディスク装置は、請求項１ないし請求項４のいずれかに記載の光ディスク装置において、前記相関情報抽出部が抽出する相関関係は、最小２乗法によって近似する回帰直線により示される関係である、ことを特徴とするものである。
【発明の効果】
【００４２】
本発明の光ディスク装置によれば、光ディスクのＰＣＡ領域にて粗い刻み幅で記録パワーを変化させ、変化させた記録パワーに応じた振幅情報を取得することで、局所的な記録パワーから推測する近似直線の誤差を低減し、次に記録パワーに対して振幅の変化率が大きな低記録パワー領域に対して細かな刻み幅で記録パワーを変化させ、変化させた記録パワー応じた振幅情報を多く取得するようにしたので、ばらつき易い低記録パワーにおける振幅情報の精度を向上させることが可能となる。これにより、両者の振幅情報から精度の高い近似直線を求めることができ、記録パワーの調整ばらつきを最小限に抑えることができるため、最適記録パワーの調整精度を向上することが可能となる。
【発明を実施するための最良の形態】
【００４３】
（実施の形態１）
以下、本発明の実施の形態１による光ディスク装置について説明する。図１は本発明の実施の形態１にかかる光ディスク装置の構成を示すブロック図である。図５は、本発明の実施の形態１にかかるＯＰＣ動作の一連の流れを示すフローチャートである。図６は、本発明の実施の形態１にかかる光ディスク装置が、所定の記録領域を分割し、分割した記録領域毎に決まった記録パワーで記録することを示す図である。図７は、記録パワーと振幅情報の代表的な関係を示す図である。図８は本発明の実施の形態１にかかる光ディスク装置が、ＰＣＡ領域に記録を行う際の記録パワーと振幅との関係を示す図である。
【００４４】
図１において、１０１は光ディスク媒体、１０２は再生時に光ディスク媒体１０１に記録された信号を抽出し、記録時には光ディスク媒体１０１に対して記録用のレーザ光を照射するピックアップ、１０３はピックアップ１０２からの信号を検出する信号処理回路、１０７は光ディスク媒体１０１を所定の速度で回転させるスピンドルモータ、１０４は再生時に信号処理装置１０３で検出した信号をデコードして再生データを抽出し、記録時には記録データをエンコードするエンコーダ／デコーダである。１０５はピックアップ１０２に内蔵されているレーザダイオードを駆動するＬＤ駆動回路であり、記録時にはエンコーダ／デコーダ１０４でデコードされた記録信号に応じてレーザダイオードを駆動する。１０８は、スピンドルモータの制御とピックアップ１０２のフォーカス、トラッキングおよび半径位置を制御するサーボ駆動回路である。１０６は、システムコントローラであり、図示しない、上位の装置から供給される記録／再生命令に基づき、ＬＤ駆動部１０５、スピンドルモータ１０１へ命令を供給する。
【００４５】
また、図５において、Ｓ５００はＯＰＣ動作を行うためにメディア判別を行い、ＯＰＣ動作に必要な各種情報を取得するステップ、Ｓ５０１はＯＰＣ動作の開始を示すステップ、Ｓ５０２は粗い刻み幅で記録パワーを逐次変化させて所定領域へ信号を記録するステップ（粗記録部）、Ｓ５０３はステップＳ５０２にて記録した信号の振幅情報を取得するステップ（粗振幅情報検出部）、Ｓ５０４はステップＳ５０３で取得した振幅情報から細かな刻み幅で記録パワーを変化させて振幅情報を取得する記録パワーの範囲を決定するステップ（密記録パワー範囲決定部）、Ｓ５０５はステップＳ５０４で決定した記録パワーの範囲内において細かな刻み幅で記録パワーを逐次変化させて所定領域へ信号を記録するステップ（密記録部）、Ｓ５０６はステップＳ５０５にて記録した信号の振幅情報を取得するステップ（密記録情報検出部）、Ｓ５０７はステップＳ５０３で取得した振幅情報と、ステップＳ５０６で取得した振幅情報から記録パワーと振幅情報との関係を抽出するステップ（相関情報抽出部）、Ｓ５０８はステップＳ５０７で抽出した関係から最適記録パワーを決定し、その値を保持するステップ（最適記録パワー決定部）、Ｓ５０９はＯＰＣ動作の完了を示すステップ、Ｓ５１０は光ディスク媒体への記録を開始するステップである。
【００４６】
図５におけるステップＳ５００は、図１におけるピックアップ１０２，信号処理回路１０３，ＬＤ駆動回路１０５，システムコントローラ１０６，サーボ駆動回路１０８，スピンドルモータ１０７により実行される。ステップＳ５０１，Ｓ５０９はピックアップ１０２，システムコントローラ１０６，スピンドルモータ１０７，サーボ駆動回路１０８により実行される。また、ステップＳ５０２，Ｓ５０５は、いずれもピックアップ１０２，エンコーダ／デコーダ１０４，ＬＤ駆動回路１０５，システムコントローラ１０６，サーボ駆動回路１０８，スピンドルモータ１０７により実行される。ステップＳ５０３，Ｓ５０６，Ｓ５１０は、いずれもピックアップ１０２，信号処理回路１０３，エンコーダ／デコーダ１０４，ＬＤ駆動回路１０５，システムコントローラ１０６，サーボ駆動回路１０８，スピンドルモータ１０７により実行される。ステップＳ５０４，Ｓ５０７，Ｓ５０８は、いずれもシステムコントローラ１０６により実行される。
【００４７】
図６は、光ディスク媒体の所定の記録領域に対して記録パワーを段階的に変化させることを示す図であり、所定の記録領域を８分割した場合を想定した図である。Ｐ１〜Ｐ８は、粗い刻み幅で記録パワーを変化させて記録する、所定の記録領域を示している。Ｑ１〜Ｑ８は、記録領域Ｐ１〜Ｐ８を記録した後に、記録パワーが小さい領域に対し細かい刻み幅で記録パワーを変化させて記録する、所定の記録領域を示している。
【００４８】
図７は、光ディスク媒体がＢＤ等の高密度記録媒体である場合の記録パワーと振幅情報との代表的な関係を示す図であり、記録パワーを増加させていくと、あるパワー以上記録パワーを増加させても振幅情報はほぼ変わらなくなることを示している。即ち、記録パワーが大きい領域ではほぼ振幅情報が飽和する。飽和した場合の振幅情報をｍｍａｘとし、飽和した場合の記録パワーをＰｗｕとする。また、振幅情報が検出可能となり始める記録パワーをＰｗｌとする。
【００４９】
図８は図６に示すように記録パワーを粗い刻み幅で段階的に変化させた後、記録パワーが小さい領域で記録パワーを細かい刻み幅で段階的に変化させた場合に得られる振幅情報を示している。
【００５０】
次に、図１、図５、図６、図７および図８を用いて、本実施の形態１による光ディスク装置の動作（最適記録パワーを決定する動作）について説明する。
【００５１】
はじめに、図５のステップＳ５００において、光ディスク媒体１０１に予め記録されているディスク情報、記録信号の反射率あるいは、案内溝の有無等の情報に基づいて、光ディスク媒体１０１のメディア判別を行う。メディア判別の結果、光ディスク媒体１０１が記録可能なメディアであると判定された場合は、ＯＰＣ動作を行う可能性があるため、ＯＰＣ動作に必要な所定パラメータκ、ρ、Ｐｉｎｄ、およびＯＰＣテスト記録用の記録倍速情報を、これらが予め記録された光ディスク媒体１０１の所定領域から読み出す。なお、所定パラメータκ、ρ、Ｐｉｎｄ、およびＯＰＣテスト記録用の記録倍速情報は必ずしも光ディスク媒体１０１から読み出す必要はなく、光ディスク媒体１０１のメディア判別を行った時点で、図示しないファームウェア等で保持している初期値テーブルから情報を取り出し、初期値テーブルの値に沿って初期値を代入してもよい。
【００５２】
次に、ステップＳ５０１において、図示しない上位装置からＯＰＣ動作が必要であると判断されると、上位装置からシステムコントローラ１０６へＯＰＣ動作開始命令が発行される。システムコントローラ１０６は、ステップＳ５００で取得したＯＰＣテスト記録用の記録倍速情報に基づいた回転数で光ディスク媒体１０１を回転させ、同時にピックアップ１０２を所定のＰＣＡ領域へ移動させるようにサーボ駆動回路１０８へ命令する。サーボ駆動回路１０８は、システムコントローラ１０６の命令を受け、スピンドルモータ１０７を所定の回転数になるよう制御する駆動信号と、ピックアップ１０２を所定のＰＣＡ領域へ位置移動させるための駆動信号を出力する。
【００５３】
次いで、ステップＳ５０２において、ＯＰＣ動作用のテスト記録用データが図示しない上位装置等よりエンコーダ／デコーダ１０４に入力され、ここでテスト記録用のデータは光ディスク媒体１０１に保存するためのデータにデコードされる。システムコントローラ１０６は、記録命令とピックアップ１０２の発光量を調整する記録パワー情報とをＬＤ駆動回路１０５に対して出力し、ＬＤ駆動回路１０５は、記録命令とエンコーダ／デコーダ１０４でデコードされた光ディスク媒体１０１に記録するためのデータとに基づいて、システムコントローラ１０６により指示された記録パワーでピックアップ１０２を発光させるような駆動信号をピックアップ１０２へ出力する。
【００５４】
ここで、所定のＰＣＡ領域はいくつかの分割数の領域に分割され、分割された領域毎に決まった記録パワーで記録される。その際、記録パワーは段階的に変化させて記録する。例えば、ＰＣＡ領域を８分割して使用する場合、８階調の記録パワーが必要となる。その様子を図６に示す。図６において、Ｐ１〜Ｐ８が８分割されたＰＣＡ領域である。Ｐ１の領域では、記録パワーが小さく、Ｐ８の領域では、記録パワーが大きい。Ｐ２〜Ｐ７領域の記録パワーは、Ｐ１とＰ８の記録パワーを階段状に補間するような値が選択される。
【００５５】
できる限り大きな記録パワー範囲の振幅情報を集めることで、局所的な振幅情報の偏差を低減することが重要なので、図７に示すＰｗｌ，Ｐｗｕを用いれば、Ｐ１領域の記録パワーＰｗｒ（１）は検出可能な振幅情報の最小値であるＰｗｌを選択し，Ｐ８領域の記録パワーＰｗｒ（８）は振幅情報が飽和する直前のＰｗｕを選択することが好適である。これらＰ１領域とＰ８領域との間を粗い刻み幅で８等分する。Ｐ２〜Ｐ７は、Ｐ１領域の記録パワーＰｗｒ（１）とＰ８領域の記録パワーＰｗｒ（８）を線形補間すればよい。線形補間した際の各領域における記録パワーはそれぞれ、
Ｐ２領域の記録パワーＰｗｒ（２）＝１×（Ｐｗｕ−Ｐｗｌ）／７＋Ｐｗｌ
Ｐ３領域の記録パワーＰｗｒ（３）＝２×（Ｐｗｕ−Ｐｗｌ）／７＋Ｐｗｌ
Ｐ４領域の記録パワーＰｗｒ（４）＝３×（Ｐｗｕ−Ｐｗｌ）／７＋Ｐｗｌ
Ｐ５領域の記録パワーＰｗｒ（５）＝４×（Ｐｗｕ−Ｐｗｌ）／７＋Ｐｗｌ
Ｐ６領域の記録パワーＰｗｒ（６）＝５×（Ｐｗｕ−Ｐｗｌ）／７＋Ｐｗｌ
Ｐ７領域の記録パワーＰｗｒ（７）＝６×（Ｐｗｕ−Ｐｗｌ）／７＋Ｐｗｌ
となる。
【００５６】
なお、必ずしもＰ２〜Ｐ７領域の記録パワーは線形補間する必要はない。好適な補間方法で代用することも可能である。Ｐ１〜Ｐ８領域においては、これら決定したＰｗｒ（１）〜Ｐｗｒ（８）を用いて記録を行う。
【００５７】
ステップＳ５０３において、システムコントローラ１０６は、Ｐ１〜Ｐ８領域を再生するための命令をサーボ駆動回路１０８およびＬＤ駆動回路１０５へ発行する。サーボ駆動回路１０８は、Ｐ１〜Ｐ８領域の再生命令を受けてピックアップ１０２をＰ１〜Ｐ８領域の再生が可能な位置へ移動するように駆動信号を出力し、また、ＬＤ駆動回路１０５は再生可能なレーザ光をピックアップ１０２が出力するように駆動信号を出力する。ピックアップ１０２は、光ディスク媒体１０１へ再生用のレーザ光を照射し、反射光を信号処理回路１０３へ出力する。信号処理回路１０３は、ピックアップ１０２の出力から２値化したデジタル信号と振幅情報とを検出し、２値化したデジタル信号はエンコーダ／デコーダ１０４にてデコードされ、再生データとして用いられる。
【００５８】
一方、振幅情報はシステムコントローラ１０６へ出力され記録パワーと相関付けられる。ここで、記録パワーと振幅情報の関連付けを、ステップＳ５０２で決定した記録パワーＰｗｒ（１）〜Ｐｗｒ（８）毎にそれぞれ実施する。記録パワーＰｗｒ（ｎ）（ｎ＝１〜８）の振幅情報をｍａ（ｎ）とすると、（Ｐｗｒ（１），ｍａ（１））〜（Ｐｗｒ（８），ｍａ（８））の組み合わせが決まり、記録パワーと振幅情報との関係が定まる。その様子が図８中の黒丸で示される。
【００５９】
ステップＳ５０４は、ばらつきやすい低い記録パワー、小さな振幅情報を取得するために低い記録パワー内で細かい刻み幅で記録パワーを変化させて記録を行う記録パワー範囲を決定するものであり、密記録パワー範囲決定部１５３に相当する処理を行う。この処理は、例えば、Ｐｗｒ（１）〜Ｐｗｒ（３）の記録パワー範囲を重点的に取得するというように、記録パワーを少し変化させるだけで振幅情報が大きくばらつく記録パワー範囲を予め判定しておき、これを図示しない初期値テーブル等に設定しておき、システムコントローラ１０６がこの初期値テーブル等に設定された記録パワー範囲を読み出すことで実現できる。例として以下、Ｐｗｒ（０）〜Ｐｗｒ（３）の記録パワー範囲内で重点的に取得することにする。
【００６０】
ステップＳ５０５は、ステップＳ５０４で決定したＰｗｒ（０）〜Ｐｗｒ（３）を細かく分割しステップＳ５０２と同様の経路で所定の領域へ細かな刻み幅で記録パワーを変化させて記録する。所定の領域、即ちＰｗｒ（０）〜Ｐｗｒ（３）内をさらに、ステップＳ５０２と同様の８分割するとした場合の様子を図６に示す。Ｑ１〜Ｑ８はこれらＰｗｒ（０）〜Ｐｗｒ（３）内を８分割された所定の領域であり、Ｐｗｒ（１）からＰｗｒ（３）を８等分した記録パワーでそれぞれの領域に記録する。Ｑ１〜Ｑ８領域に用いる記録パワーをそれぞれＰｗｆ（１）〜Ｐｗｆ（８）とする。
【００６１】
ステップＳ５０６は、ステップＳ５０５で記録したデータの振幅情報をステップＳ５０３と同様の経路で取得する。Ｑ１〜Ｑ８領域へ記録された振幅情報をそれぞれｍｂ（１）〜ｍｂ（８）とする。この様子が図８中の白四角で示される。記録パワーが低い状態における振幅情報はばらつきやすいため、少ない数で（粗い刻みで）記録パワーと振幅情報の関係を求めると誤差が生じやすいが、振幅情報の取得点数を細かい刻みで増加させることにより記録パワーと振幅情報との関係誤差を低減している。ステップＳ５０３と同様に（Ｐｗｆ（１），ｍｂ（１））〜（Ｐｗｆ（８），ｍｂ（８））の組み合わせが決まる。
【００６２】
ステップＳ５０７において、システムコントローラ１０６は、（Ｐｗｒ（ｎ）、ｍａ（ｎ））と（Ｐｗｆ（ｎ）、ｍｂ（ｎ））のデータ系列を用いて記録パワーと振幅情報との関係を抽出する。この記録パワーと振幅情報との関係は、直線で近似されることが多い。なお、その近似法については特に問わないが、最小２乗法を使用することができ、近似直線としてこの最小２乗法によって近似する回帰直線を使用することが可能である。
【００６３】
ここで、記録パワーＰｗと振幅情報ｍとの積を求め、この積と、記録パワーとの関係を求めるようにすれば、この関係は、記録パワーと振幅情報との関係よりも非線形の度合いが軽減され、直線近似を行いやすくなる。その際、
記録パワーＰｗ  ×  振幅情報ｍ＝α・（Ｐｗ−β）
とすることにより、その近似直線の傾きαと、左辺が零となるときの記録パワーβとが求められる。
【００６４】
ステップＳ５０８において、システムコントローラ１０６は、ステップＳ５０７で求めたβにステップＳ５００で取得した所定パラメータκ、およびρを乗じて最適記録パワーＰｗｏを求める。ゆえに最適記録パワーＰｗｏは
Ｐｗｏ＝κ×ρ×β
で求まる。
【００６５】
ところで、上述のように、記録パワーが大きく振幅情報が飽和する領域で振幅情報がばらついたとしても、粗い刻みで振幅情報を求めているため、記録パワーと振幅情報との関係を近似する近似直線の傾きがばらつくのが抑えられる。このため、近似直線より求める最適記録パワーはそのばらつきが極めて生じにくくなる。
【００６６】
また、上述のように、記録パワーが大きい領域では粗い刻みで振幅情報を求めているため、近似直線を求める際、記録パワーが大きく振幅情報が飽和する領域で、振幅情報を求めるために選択する複数の記録パワーを、別の複数の記録パワーに変更したとしても、その変更の影響を受けにくくなり、近似直線より求める最適記録パワーのばらつきが極めて生じにくくなる。
【００６７】
さらに、上述のように、記録パワーが小さく記録パワーと振幅情報との関係が線形に近い領域では、振幅情報を細かい刻みで求めるようにしているため、近似直線を求める際に、振幅情報を求めるために選択する複数の記録パワーを、別の複数の記録パワーに変更したとしても、その変更の影響を受けにくくなり、近似直線より求める最適記録パワーのばらつきが極めて生じにくくなる。
【００６８】
その後、ステップＳ５０９において、ステップＳ５０８にて最適記録パワーＰｗｏが求まった時点で、システムコントローラ１０６がＯＰＣ動作の完了をサーボ制御回路１０８、ＬＤ駆動回路１０５へ通知し一連の流れを完了する。なお、ステップＳ５０８で求めた最適記録パワーＰｗｏは必要に応じてＥＥＰＲＯＭ等に保存される。
【００６９】
最終的にステップＳ５１０において通常の記録動作が実行されるが、この通常の記録動作を実行する際は、上述のＯＰＣ動作で求めた最適記録パワーＰｗｏが用いられる。
【００７０】
これにより、高密度化された光ディスク媒体であるＢＤ−ＲＥ等においても最適かつ安定した記録パワーで記録を行うことができ、高い記録品質となるよう記録を行うことが可能となる。
【００７１】
なお、上記実施の形態１では、粗い刻み幅で記録パワーを変化させてＰＣＡ領域に記録を行うテスト記録と、細かい刻み幅で記録パワーを変化させてＰＣＡ領域に記録を行うテスト記録を１回ずつ行うようにしたが、これらのテスト記録をそれぞれ２回以上行い、粗い刻み幅で記録パワーを変化させることで記録したテスト記録の２つ以上のデータを各々再生しこれらを平均化して振幅情報を検出するとともに、細かい刻み幅で記録パワーを変化させることで記録したテスト記録の２つ以上のデータを各々再生しこれらを平均化して振幅情報を検出するようにしてもよい。
【００７２】
また、上記実施の形態１では、粗い刻み幅で記録パワーを変化させてＰＣＡ領域に行ったテスト記録のデータおよび細かい刻み幅で記録パワーを変化させてＰＣＡ領域に行ったテスト記録のデータを１回ずつ再生するようにしたが、粗い刻み幅で記録パワーを変化させてＰＣＡ領域に記録したテスト記録のデータを２回以上再生し、その再生されたデータを平均化して振幅情報を検出するとともに、細かい刻み幅で記録パワーを変化させてＰＣＡ領域に記録したテスト記録のデータを２回以上再生し、その再生されたデータを平均化して振幅情報を検出するようにしてもよい。
【００７３】
また、上記実施の形態１では、粗い刻み幅で記録パワーを変化させてＰＣＡ領域に記録を行うテスト記録と、細かい刻み幅で記録パワーを変化させてＰＣＡ領域に記録を行うテスト記録を１回ずつ行うとともに、粗い刻み幅で記録パワーを変化させてＰＣＡ領域に行ったテスト記録のデータおよび細かい刻み幅で記録パワーを変化させてＰＣＡ領域に行ったテスト記録のデータを１回ずつ再生するようにしたが、これらのテスト記録をそれぞれ２回以上行い、粗い刻み幅で記録パワーを変化させてＰＣＡ領域に記録したテスト記録の２つ以上のデータを各々２回以上再生し、その再生されたデータを平均化して振幅情報を検出するとともに、細かい刻み幅で記録パワーを変化させてＰＣＡ領域に記録したテスト記録の２つ以上のデータを２回以上再生し、その再生されたデータを平均化して振幅情報を検出するようにしてもよい。
【００７４】
また、粗い刻み幅で記録パワーを変化させて検出した振幅情報の最大値が所定の値より小さい場合に、より大きな振幅情報が検出できるように粗い刻み幅で記録する記録パワーの範囲を変更し、再度粗い刻み幅で記録パワーを変化させてＰＣＡ領域にテスト記録を行うようにしてもよい。
【００７５】
また、粗い刻み幅で記録パワーを変化させて検出した振幅情報の最大値と最小値を求め、最大値が所定の値より小さい場合、もしくは最小値が所定の値より大きい場合に、振幅情報が所定の値を満たすよう粗い刻み幅で記録する記録パワーの範囲を変更し、再度粗い刻み幅で記録パワーを変化させてＰＣＡ領域にテスト記録を行うようにしてもよい。
【００７６】
また、細かい刻み幅で記録パワーを変化させて振幅情報を検出する記録パワーの範囲として、粗い刻み幅で記録パワーを変化させて検出した振幅情報と所定の値とを比較し、この所定の値に最も近い振幅情報に対応した記録パワーの近傍の記録パワーを設定するようにしてもよい。
【００７７】
さらに、細かい刻み幅で記録パワーを変化させて振幅情報を検出する記録パワーの範囲として、粗い刻み幅で記録パワーを変化させて検出した振幅情報を補間した情報と所定の値とを比較し補間した情報に対応する記録パワーを演算で求め、この演算で求めた記録パワーの近傍の記録パワーを設定するようにしてもよい。
【００７８】
このように、本実施の形態１による光ディスク装置によれば、最適記録パワーＰｗｏは、ある一部の局所的な記録パワーで求めた振幅情報ではなく、低い振幅情報から高い振幅情報まで網羅する全体的な記録パワーで得た振幅情報から、大まかな記録パワーと、振幅情報との関係を取得した後、ばらつきの大きな低い記録パワーの振幅情報を細かい刻みで重点的に取得するようにしたので、単体誤差を低減させた最適記録パワーＰｗｏを得ることができ、高記録密度の光ディスク媒体であっても安定した記録を実現することができる効果が得られる。
【産業上の利用可能性】
【００７９】
以上のように、本発明にかかる光ディスク装置は、ディスクの回転変動、面振れ成分、面内の記録感度ばらつき、およびレーザの焦点状態等さまざまな要因で検出する振幅情報のばらつきに対して影響を受け難く、高い精度で最適記録パワーの調整する光ディスク装置等を得るのに有効である。また、磁気ディスク等の用途にも応用できる。
【図面の簡単な説明】
【００８０】
【図１】本発明の実施の形態１による光ディスク装置の構成を示すブロック図である。
【図２】記録パワーと振幅情報の代表的な関係を示す図である。
【図３】図２の振幅情報に±５％のランダムな誤差を重畳した様子を示す図である。
【図４】図２の振幅情報に±５％のランダムな誤差を重畳した様子を示す図である。
【図５】実施の形態１にかかる光ディスク装置おける最適記録パワーを求めるためのフローチャートを示す図である。
【図６】所定の記録領域と記録パワーとの関係を示す図である。
【図７】記録パワーと振幅情報の代表的な関係と、振幅情報の飽和を示す図である。
【図８】粗い刻み幅で記録パワーを変化させた場合の振幅情報と細かな刻み幅で記録パワーを変化させた場合の振幅情報を組み合わせた記録パワーと振幅情報の関係を示す図である。
【符号の説明】
【００８１】
１００  光ディスク装置
１０１  光ディスク媒体
１０２  ピックアップ
１０３  信号処理回路
１０４  エンコーダ／デコーダ
１０５  ＬＤ駆動回路
１０６  システムコントローラ
１０７  スピンドルモータ
１０８  サーボ駆動回路
Ｓ５００  メディア判別を行い、所定の記録条件を抽出するステップ
Ｓ５０１  ＯＰＣ動作の開始を示すステップ
Ｓ５０２  粗い刻み幅で記録パワーを変化させて記録するステップ
Ｓ５０３  Ｓ５０２が記録した情報の振幅情報を抽出するステップ
Ｓ５０４  Ｓ５０３が抽出した振幅情報から細かい刻み幅で記録パワーを変化させ記録をするためのターゲットを決定するステップ
Ｓ５０５  細かい刻み幅で記録パワーを変化させて記録するステップ
Ｓ５０６  Ｓ５０５が記録した情報の振幅情報を抽出するステップ
Ｓ５０７  Ｓ５０３とＳ５０６で抽出した振幅情報を合わせて最終的な記録パワー、振幅情報の関係を決定するステップ
Ｓ５０８  演算により最適記録パワーを決定するステップ
Ｓ５０９  ＯＰＣ動作の完了を示すステップ
Ｓ５１０  ＯＰＣ動作で得られた最適記録パワーにより記録動作を行うステップ
【図１】
2009043297.tif 000003
【図２】
2009043297.tif 000004
【図３】
2009043297.tif 000005
【図４】
2009043297.tif 000006
【図５】
2009043297.tif 000007
【図６】
2009043297.tif 000008
【図７】
2009043297.tif 000009
【図８】
2009043297.tif 000010